(57)【要約】【課題】データが収録された光ディスク各々に関して、再生可否を検証することが可能な光ディスク装置を提供する。【解決手段】データが収録された光ディスクのディスク情報を検索部１２にて検索し、光ディスク装置１００に接続されたＰＣ２００Ａに対して通信を行い、検索対象の光ディスクのディスク情報を取得し、取得したディスク情報と、光ディスク装置１００において再生可能な光ディスクのディスク種別情報であって、メモリ１６にテーブル形式で記録されているディスク種別情報とを照合することによって、検索対象の光ディスクが光ディスク装置１００において再生可能か否かを判定する。【選択図】図２
2008310874.tif 000002
【特許請求の範囲】
【請求項１】
光ディスクに対してデータの再生を行う再生部と、
前記再生部で再生された映像の画像処理を行う映像処理部と、
前記再生部で再生された音声の音声処理を行う音声処理部と、
を備えた光ディスク装置において、
データが収録された光ディスクのディスク情報を検索する検索手段と、
前記検索手段により得られた前記光ディスクのディスク情報を検証する検証手段とを設け、
前記検証手段での検証結果に基づいて、前記再生部における前記光ディスクの再生可否を判定することを特徴とする光ディスク装置。
【請求項２】
請求項１に記載の光ディスク装置において、
前記検索手段は、前記光ディスクのディスク情報を検索する検索部と、前記光ディスク装置に接続されたコンピュータ・ネットワーク上のデータベースに対して通信を行う通信部と、前記データベースから取得した前記光ディスクのディスク情報を記録する第１の記録部から構成され、
前記検索部における前記光ディスクのディスク情報の検索に伴い、前記通信部は前記データベースに対して通信を開始し、前記データベースから取得した前記光ディスクのディスク情報を前記第１の記録部に記録することを特徴とする光ディスク装置。
【請求項３】
請求項１または請求項２に記載の光ディスクにおいて、
前記検証手段は、前記再生部における前記光ディスクの再生可否を検証する検証部と、前記再生部にて再生可能な光ディスクのディスク種別情報を記録した第２の記録部から構成され、
前記検証部にて、前記第１の記録部に記録されたディスク情報に含まれているディスク種別情報と前記第２の記録部に記録されたディスク種別情報とを照合することにより、一致するディスク種別情報があるか否かを検証し、一致するディスク情報があれば、再生可能であると判定し、一致するディスク情報が無ければ、再生不可能であると判定することを特徴とする光ディスク装置。
【発明の詳細な説明】
【技術分野】
【０００１】
本発明は、データが収録された光ディスクについて、再生可否を判定する光ディスク装置に関するものである。
【背景技術】
【０００２】
近年、記録媒体として、ＣＤ（Compact  Disc）やＤＶＤ（Digital Versatile  Disk）、ＢＤ（Blu-ray Disc；登録商標）などの光ディスクが広く用いられており、このうちＤＶＤやＢＤについては、その容量の大きさから、映画などの動画を保存するための大容量データ記録媒体としても用いられている。
【０００３】
このＤＶＤやＢＤは、規格別や用途別によって数種類の光ディスクが存在し、ＤＶＤの用途別の一例として、読み出しを専用とする「ＤＶＤ−ＲＯＭ」、一度だけ記録することが可能な「ＤＶＤ−Ｒ」、記録再生が可能な「ＤＶＤ−ＲＷ」、フロッピー（登録商標）ディスクと同様の使い易さを特徴とする「ＤＶＤ−ＲＡＭ」などが挙げられ、また、規格別の一例としては、ＤＶＤ−ＲとＤＶＤ＋Ｒが挙げられる。
【０００４】
このように、ＤＶＤやＢＤには数種類の光ディスクが存在するため、ＤＶＤやＢＤの記録再生を行う光ディスク装置においても、全種類の光ディスクに対して記録再生可能な光ディスク装置と、一部の種類の光ディスクに対してのみ記録再生可能な光ディスク装置が存在する。
【０００５】
そのため、映画などが収録された光ディスクをユーザーが購入またはレンタルする場合、再生を行う光ディスク装置に対応している光ディスクか否かを判断する必要があるため、再生可能な光ディスクのディスク種別を予め把握しておかなければならない。
【０００６】
しかしながら、上述したとおり、光ディスクのディスク種別は複数存在するため、自己の所有する光ディスク装置で再生可能な光ディスクのディスク種別をすべて把握しておくことは大変困難である。
また、把握間違いなどに起因した光ディスクの誤購入などが発生することによって、ユーザーの購買意欲を低下させる恐れがある。
【０００７】
特許文献１には、ＣＤなどの第１の記憶媒体から再生されたデータをＨＤＤ（Hard Disk Drive）などの第２の記憶媒体に格納する際もしくは格納後に、第１の記憶媒体の識別が可能な識別情報を用いて、第１の記憶媒体に関する情報をデータベースなどから取得し、取得したデータを第２の記憶媒体に格納されたデータに関連付けて格納する記録装置が記載されている。
【０００８】
特許文献２には、ＷＷＷブラウザを兼ね備えたＤＶＤプレーヤと、通常のＤＶＤが有している映像情報および音声情報以外に、その映像情報にリンクしたジャンプ先テーブルを有したＤＶＤタイトルディスクが記載されている。
本文献では、ＷＷＷブラウザを兼ね備えたＤＶＤプレーヤでのＤＶＤタイトルディスクの再生中において、各シーンに対応したＷｅｂが存在する場合、Ｗｅｂジャンプアイコンが表示され、ユーザーにＷｅｂジャンプ有効範囲に入ったことが通知される。
【０００９】
特許文献３には、ディスクを識別するためのＴＯＣ（Table of contents）情報と対応付けてディスク情報を記憶する管理装置が記載されている。
この管理装置は、ディスク再生装置を介して再生したディスクのＴＯＣ情報を取得し、取得したＴＯＣ情報に基づいて、管理装置に記憶されているディスク情報の中から対象となるディスク情報を検出し、検出できない場合は、ネットワークを介してデータベースに接続することによって、対象となるディスク情報を検出し、取得したディスク情報を記憶する。
【００１０】
特許文献４には、国際標準レコーディングコード（ＩＳＲＣ）を持つメディアから他のメディアにデータを記録する際に、このＩＳＲＣに対応するタイトル文字情報を自動的に記録する記録再生装置が記載されている。
この装置では、ＩＳＲＣをメモリに格納し、格納したＩＳＲＣに対応するタイトルデータのデータベースにアクセスすることによって、メモリに格納されたＩＳＲＣに対応するタイトル文字情報をダウンロードし、ダウンロードしたタイトル文字情報をメモリに記憶させ、メモリに記憶したタイトル文字情報をデータの記録を行う他のメディアに自動的に記録する。
【００１１】
特許文献５には、ＡＶレコーダのDescriptorから属性情報を読み出し、読み出した属性情報に基づいて、このＡＶレコーダで再生可能なファイルを選別し、その選別結果よりＧＵＩ（Graphical User Interface）を作成し、モニタなどの外部機器に表示する復号装置が記載されている。
【００１２】
【特許文献１】特開２０００−２００４７５号公報
【特許文献２】特開２０００−２０７８７３号公報
【特許文献３】特開２００１−２８３５６８号公報
【特許文献４】特開２００１−３１２８７７号公報
【特許文献５】特開２００１−３５９０５０号公報
【発明の開示】
【発明が解決しようとする課題】
【００１３】
上記の特許文献１〜５においては、映画などが収録された光ディスクをユーザーが購入またはレンタルし、自己が所有する再生機器にて再生を行う場合、この再生機器に対応している光ディスクか否かを判断する必要があり、再生可能な光ディスクのディスク種別を予め把握しておかなければならないため、把握間違いなどに起因した光ディスクの誤購入などの発生の防止、およびそれに伴うユーザーの購買意欲の低下を防止することは出来ない。
【００１４】
本発明は、上述した問題点に鑑み、データが収録された光ディスク各々に関して、再生可否を検証することが可能な光ディスク装置を提供することを目的としている。
【課題を解決するための手段】
【００１５】
本発明では、光ディスクに対してデータの再生を行う再生部と、再生部で再生された映像の画像処理を行う映像処理部と、再生部で再生された音声の音声処理を行う音声処理部とを備えた光ディスク装置において、データが収録された光ディスクのディスク情報を検索する検索手段と、検索手段により得られた光ディスクのディスク情報を検証する検証手段とを設けている。
そして、検証手段での検証結果に基づいて、再生部における光ディスクの再生可否を判定する。
【００１６】
このようにすることで、購入しようとする光ディスクが自己の所有する再生機器で再生できるか否かを事前に確認することが可能となる。この結果、ユーザーが誤って再生機器に対応していない光ディスクを購入することを未然に防止することができ、また、これにより購入間違いによる無意味な出費を回避することができるため、購買意欲の低下を防止することができる。
【００１７】
また、本発明における検索手段は、光ディスクのディスク情報を検索する検索部と、光ディスク装置に接続されたコンピュータ・ネットワーク上のデータベースに対して通信を行う通信部と、データベースから取得した光ディスクのディスク情報を記録する第１の記録部から構成される。
そして、検索部における光ディスクのディスク情報の検索に伴い、通信部はデータベースに対して通信を開始し、データベースから取得した光ディスクのディスク情報を第１の記録部に記録する。
【００１８】
これにより、検索するための通信機器を新たに要することなく、光ディスク装置１台で、光ディスクの再生以外に、再生実施予定の光ディスクのディスク情報をコンピュータ・ネットワーク上のデータベースから取得することができる。
【００１９】
また、本発明における検証手段は、再生部における光ディスクの再生可否を検証する検証部と、再生部にて再生可能な前記光ディスクのディスク種別情報を記録した第２の記録部から構成される。
そして、第１の記録部に記録されたディスク情報に含まれているディスク種別情報と第２の記録部に記録されたディスク種別情報とを検証部にて照合することにより、一致するディスク種別情報があるか否かを検証し、一致するディスク情報があれば、再生可能であると判定し、一致するディスク情報が無ければ、再生不可能であると判定する。
【００２０】
これにより、一致するディスク種別情報の有無によって、検索部で検索を実行した光ディスクの再生部における再生可否を判定できるため、データベースから取得し、第１の記録部に記録されたディスク情報を有効に活用することができる。
【発明の効果】
【００２１】
本発明によれば、データが収録された光ディスクのディスク情報を検索し、取得したディスク情報を検証することによって、検索対象の光ディスクの当該装置における再生可否を事前に確認することができる。
【発明を実施するための最良の形態】
【００２２】
以下、本発明の実施形態につき、図面を参照しながら説明する。
【００２３】
図１は、本発明に係る光ディスク装置の全体構成の一例を示した図である。
図中において、１００は光ディスクの記録再生を行う光ディスク装置、２００Ａは光ディスク装置１００と接続されたＰＣ（Personal Computer）、２００Ｂは光ディスク装置１００と接続されたコンピュータ・ネットワーク上のデータベース、３００は光ディスク装置１００で再生した映像や音声の出力先であるテレビ受像機、５００は光ディスク装置１００を遠隔操作するためのリモート・コントロール装置である。
ＰＣ２００Ａは、映画などのデータが収録されている光ディスクのディスク情報（例えば、タイトル名やＢＤ−ＲＯＭなどと表現されるディスク種別）が含まれているファイルを複数保持している。これらのファイルは、ユーザーの編集により作成されたファイルである。
データベース２００Ｂは、企業などにより運営され、上述の光ディスクのディスク情報が多数保持されている。
【００２４】
図２は、本発明の光ディスク装置の一例を示したブロック図である。
図２では、図１と同一部分または対応する部分に同一符号を付してある。
図中、１１は光ディスク装置１００全体を制御するためのマイクロプロセッサ、１２は映画などのデータが収録された光ディスクのディスク情報の検索を行う検索部、１３は検索部１２による検索実行に伴い、光ディスク装置１００に接続されたＰＣ２００Ａとの間で通信を行う通信部、１４は通信部１３に設けられ、ＰＣ２００Ａとの通信の際に得られた検索対象である光ディスクのディスク情報を記録するメモリ、１５は検索部１２で検索した光ディスクの光ディスク装置１００における再生可否を検証する検証部、１６は検証部１５に設けられ、光ディスク装置１００において再生可能な光ディスクのディスク種別を記載したディスク種別情報が記録されているメモリ、１７はＤＶＤなどの光ディスクの記録再生を行う記録再生部、１８は記録再生部１７で再生された映像の画像処理を行う映像処理部、１９は記録再生部１７で再生された音声の音声処理を行う音声処理部、２０は光ディスク装置１００の各部に電源を供給する電源部、３１はテレビ受像機３００に設けられ、映像処理部１８により画像処理された映像を表示するＬＣＤ（Liquid Crystal Display）、３２はテレビ受像機３００に設けられ、音声処理部１９により音声処理された音声を出力するスピーカである。
【００２５】
図３は、上述した光ディスク装置１００において再生可能な光ディスクの検索方法を示したフローチャートである。
【００２６】
まず始めに、ステップＳ１で図１に示すリモート・コントロール装置５００または光ディスク装置１００のフロントパネルに設けられたボタン部（図示省略）を操作することによって、ＬＣＤ３１に光ディスクのディスク情報を検索するための検索画面を表示させる。
図４Ａは、ＬＣＤ３１に表示される検索画面の一例である。図中、３３は検索画面、３４はタイトル名などを入力し、検索条件の設定を行う検索条件設定欄、３５は検索の開始や中止などを実行するための実行ボタンである。
【００２７】
次に、ステップＳ２では、検索条件設定欄３４において、光ディスク装置１００で再生予定の光ディスクに関する情報（例えば、タイトル名や出演者名など）の入力や検索条件の設定などを行い、実行ボタン３５の「検索開始」を選択し、検索を実行する。
【００２８】
ステップＳ３では、ステップＳ２での検索実行により通信部１３が通信を開始し、光ディスク装置１００に接続されたＰＣ２００Ａとの間で通信を行う。
【００２９】
通信部１３は、ＰＣ２００Ａに保持されている光ディスクのディスク情報の中から検索対象の光ディスクに関するディスク情報を抽出し、ステップＳ４で通信部１３に設けられたメモリ１４に抽出したディスク情報を記録する。
【００３０】
ステップ５では、メモリ１４に記録された検索対象の光ディスクに関するディスク情報に含まれているディスク種別情報と、メモリ１６に記録されている情報であって、光ディスク装置１００において再生可能な光ディスクのディスク種別情報とを照合する。
図５は、照合する２つのディスク種別情報の一例である。図中、１４Ａはメモリ１４に記録された情報であって、ＣＳＶ（Comma Separated Values）形式で保存された光ディスクのディスク情報、１４Ｂはディスク情報１４Ａ中に記載されたディスク種別、１６Ａは光ディスク装置１００において再生可能な光ディスクのディスク種別情報であって、メモリ１６にテーブル形式で記録されているディスク種別情報である。
【００３１】
ステップＳ６では、ステップＳ５での照合の結果、ディスク種別情報１６Ａ中にディスク種別情報１４Ｂと一致するディスク種別があるか否かを照合し、一致するディスク種別があれば（ステップＳ６：ＹＥＳ）、ステップＳ７へ進み、一致するディスク種別がなければ（ステップＳ６：ＮＯ）、ステップＳ８以下へ進む。
【００３２】
ステップＳ７では、一致するディスク種別有りの検証結果を受けて、例えば、図４Ｂに示すような「該当有り」の検証結果が表示される。
図中において、３６は検証結果を表示する結果表示欄、３７は該当する光ディスクの情報がある場合において、当該光ディスクに関する情報を簡易表示するディスク情報表示部、３８は新規検索や該当するディスクの購入などを実行するための実行ボタンである。
【００３３】
また、ステップＳ８では、一致するディスク種別無しの検証結果を受けて、例えば、図４Ｃに示すような「該当無し」の検証結果が表示される。
【００３４】
ステップＳ９では、ユーザーがステップＳ８における「該当無し」の検証結果を踏まえて、検索条件の変更を行うことにより再度検索するか否かを選択し、検索する場合はステップＳ２へ戻り、実行ボタン３８中の「新規検索」を選択することにより、再度検索を開始し、検索しない場合は、実行ボタン３８中の「終了」を選択することにより、検索画面の表示を終了させる。
【００３５】
このように、上述した実施形態においては、データが収録された光ディスクのディスク情報を検索部１２にて検索し、光ディスク装置１００に接続されたＰＣ２００Ａに対して通信を行い、検索対象の光ディスクのディスク情報１４Ａを取得し、取得したディスク情報１４Ａと、光ディスク装置１００において再生可能な光ディスクのディスク種別情報であって、メモリ１６にテーブル形式で記録されているディスク種別情報１６Ａとを照合することによって、検索対象の光ディスクが光ディスク装置１００において再生可能か否かを判定することができる。
これにより、光ディスク装置１００に対応していない光ディスクを誤って購入することを未然に防止することができ、また、購入間違いによる無意味な出費を回避することができるため、購買意欲の低下を防止することができる。
【００３６】
上述の実施形態では、ＤＶＤなどの光ディスクの記録再生を行う記録再生部を設けたが、再生機能のみを有する再生部を設けてもよい。
【００３７】
また、上述の実施形態では、光ディスクのディスク情報の取得先として、ＰＣ２００Ａを挙げたが、図１に示すような企業などにより運営されているコンピュータ・ネットワーク上のデータベース２００Ｂや友人知人間などで行うＰ２Ｐ（peer-to-peer）などをディスク情報の取得先としてもよい。
【００３８】
さらに、上記実施形態では、検証結果を表示するためにＬＣＤ３１を用いたが、通信部１３にメール送信機能を付加させることによって、携帯端末（図示省略）などに検証結果を転送させることも可能である。
【図面の簡単な説明】
【００３９】
【図１】本発明に係る光ディスク装置の全体構成の一例を示した図である。
【図２】本発明の光ディスク装置の一例を示したブロック図である。
【図３】光ディスク装置において再生可能な光ディスクの検索方法を示したフローチャートである。
【図４Ａ】ディスク情報を検索するための検索画面の一例である。
【図４Ｂ】「該当有り」の検証結果を表示した画面の一例である。
【図４Ｃ】「該当無し」の検証結果を表示した画面の一例である。
【図５】検証部にて照合する２つのディスク種別情報の一例を示した図である。
【符号の説明】
【００４０】
１２    検索部
１３    通信部
１４    メモリ
１５    検証部
１６    メモリ
１７    記録再生部
３３    検索画面
１４Ａ  ディスク情報
１６Ａ  ディスク種別情報
１００    光ディスク装置
２００Ａ  ＰＣ
３００    テレビ受像機
【図１】
2008310874.tif 000003
【図２】
2008310874.tif 000004
【図３】
2008310874.tif 000005
【図４Ａ】
2008310874.tif 000006
【図４Ｂ】
2008310874.tif 000007
【図４Ｃ】
2008310874.tif 000008
【図５】
2008310874.tif 000009